(57)【要約】【課題】ユーザ操作により、ハイライトボタン選択決定操作が行われることにより、動作遷移が発生した場合にランダム再生モードを解除し、通常再生モードに復帰する再生装置を得ることを目的とする。【解決手段】通常再生モードやランダム再生モードの実行・解除およびハイライトボタンの選択決定操作などを実施する操作部と、上記操作部から入力された情報により各機能実行の判断を行い、再生制御全般を制御するとともに上記ハイライトボタン選択決定操作時、動作遷移が発生した場合にランダム再生モードを解除し、通常再生モードに復帰制御する再生管理部と、上記再生管理部の出力に基づいて再生動作を行なう再生部とを備えたものである。【選択図】図１
2007157306.tif 000002
【特許請求の範囲】
【請求項１】
通常再生モードやランダム再生モードの実行・解除およびハイライトボタンの選択決定操作などを実施する操作部と、上記操作部から入力された情報により各機能実行の判断を行い、再生制御全般を制御するとともに上記ハイライトボタン選択決定操作時、動作遷移が発生した場合にランダム再生モードを解除し、通常再生モードに復帰制御する再生管理部と、上記再生管理部の出力に基づいて再生動作を行なう再生部とを備えた再生装置。
【請求項２】
再生管理部は、ハイライトボタンの表示の有無を検知するハイライトボタン表示有無検知手段と、上記ハイライトボタンの表示が動作遷移を含むナビゲーションコマンドであるかを判断する動作遷移有無判断手段と、上記動作遷移有無判断手段から動作遷移有の判断信号を受けるとランダム再生モードを解除し、通常再生モードへと移行させる通常再生モード設定手段とを備えた請求項１記載の再生装置。
【発明の詳細な説明】
【技術分野】
【０００１】
この発明は、ＤＶＤ−Ａｕｄｉｏの再生装置に関し、特に、ランダム再生モード中にハイライトボタン選択決定が行われることに伴い、動作遷移が発生した場合には、ランダム再生モードを解除し、通常再生モードに復帰する再生装置に関するものである。
【背景技術】
【０００２】
一般に、ＤＶＤ−Ａｕｄｉｏ再生は、ＣＤ−ＤＡ再生と異なり、ナビゲーションコマンドを有しているが、ランダム再生モード時はこれを無視し、トラック再生終了時にはランダムに選曲されたトラックの再生へ遷移する。また、ＤＶＤ−Ａｕｄｉｏ再生はハイライトボタン選択決定操作によっても動作遷移が発生し、この操作によってコンテンツプロバイダの指定したメニューやトラックリストヘ遷移する。
従来のこの種のＤＶＤ−Ａｕｄｉｏの再生装置としては、特許文献１参照に示されるように、ランダム再生を行うものはあるが、ハイライトボタン操作については言及されていない。
【０００３】
【特許文献１】特開２００３−２５７１６３号公報
【発明の開示】
【発明が解決しようとする課題】
【０００４】
従来の再生装置は以上のように構成されているので、コンテンツプロパイダの設定によっては、ハイライトボタン選択決定操作によって一旦最終トラックを再生し、最終トラック再生終了後、Ｍｅｎｕ再生へ遷移させようとするような場合がある。この場合、最終トラック終了時、ランダム再生における次曲再生が優先されるため、従来の再生装置の場合には、ハイライトボタン選択決定操作を実行しても、コンテンツプロバイダの設定した本来遷移すべきメニューやトラックリストへ遷移できないという課題があった。
【０００５】
この発明は、上記のような課題を解決するためになされたもので、ユーザ操作により、ハイライトボタン選択決定操作が行われることにより、動作遷移が発生した場合にはランダム再生モードを解除し、通常再生モードに復帰する再生装置を得ることを目的とする。
【課題を解決するための手段】
【０００６】
この発明に係る再生装置は、通常再生モードやランダム再生モードの実行・解除およびハイライトボタン選択決定操作などを実施する操作部と、上記操作部から入力された情報により各機能実行の判断を行い、再生制御全般を制御するとともに上記ハイライトボタン選択決定操作時、動作遷移が発生した場合にランダム再生モードを解除し、通常再生モードに復帰制御する再生管理部と、上記再生管理部の出力に基づいて再生動作を行なう再生部とを備えたものである。
【発明の効果】
【０００７】
この発明は、ハイライトボタン選択決定操作時、動作遷移が発生した場合にランダム再生モードを解除し、通常再生モードに復帰制御するように構成したので、コンテンツの指示するナビゲーションコマンドを正常に実行することができずにメニューへの遷移ができなくなるというようなことを防ぐことができるという効果がある。
【発明を実施するための最良の形態】
【０００８】
以下、この発明の実施の一形態を、図１〜図４を参照して説明する。
実施の形態１．
図１は、この発明の実施の形態１による再生装置を示す構成図である。
図１において、本実施の形態による再生装置は、操作者が通常再生モードやランダム再生モードの実行・解除およびハイライトボタン選択決定操作などを実施する操作部１と、この操作部１から入力された情報により各機能実行の判断を行い、再生制御全般を制御するとともに上記ハイライトボタン選択決定操作時、動作遷移が発生した場合にランダム再生モードを解除し、通常再生モードに復帰制御する再生管理部２と、この再生管理部２から制御され再生を行なうための再生部３とを備える。
【０００９】
図２は、図１の具体的な回路構成の一例を示すブロック図である。
図２において、操作部１として、通常再生モード操作時に用いる通常再生モード操作手段１１、ランダム再生モード操作時に用いるランダム再生モード操作手段１２、プログラム再生モード操作時に用いるプログラム再生モード操作手段１３およびハイライトボタン操作時に用いるハイライトボタン選択決定操作手段１４が設けられ、再生管理部２として、再生モード設定手段２１、通常再生モード設定手段２２およびハイライトボタン表示有無検知手段２３、動作遷移有無判断手段２４が設けられ、再生部３として、再生手段３１および表示手段３２が設けられている。
【００１０】
通常再生操作手段１１、ランダム再生操作手段１２およびプログラム再生操作手段１３は再生モード設定手段２１に接続され、ハイライトボタン操作手段１４は動作遷移有無判断手段２４に接続され、再生モード設定手段２１の出力側は、再生手段３１を介して表示手段３２に接続され、表示手段３２の出力側に、ハイライトボタン表示の有無を検知するためのハイライトボタン表示有無検知手段２３が接続される。
また、ハイライトボタン表示有無検知手段２３の出力側は、動作遷移有無判断手段２４に接続され、この動作遷移有無判断手段２４から動作遷移有の信号を受けることにより、通常再生モード設定手段２２は再生モード設定手段２１を通常再生モードに設定する。
【００１１】
次に、動作について、図３のフローチャートおよび図４の模式図を参照して説明する。
操作部１からのランダム再生モード移行要求が無い場合には、通常再生モードを実行する（ステップＳＴ１）。ランダム再生モード移行要求の有無を再生モード設定手段２１により監視しており(ステップＳＴ２)、ランダム再生モード操作手段１２により再生モード設定手段２１に対してランダム再生モード移行要求が発生した場合は、ランダム再生モードへと再生シーケンスを移行させる（ステップＳＴ３)。
【００１２】
さらに、ランダム再生モード中は、再生モード設定手段２１により操作者が操作部１のハイライトボタン選択決定操作手段１４によりハイライトボタン選択・決定操作を実行したかどうかの判断を行っている(ステップＳＴ４)。ハイライトボタン選択決定操作の無い場合には、現在のランダム再生モードを継続して実行する(ステップＳＴ７)。ハイライトボタン選択決定操作手段１４によるハイライトボタン選択決定操作が実行された場合（図４（ａ）の「Ｔｒａｃｋ  Ｌｉｓｔ」と表示されたハイライトボタン１４ａが押された状態）には、ハイライトボタン表示有無検知手段２３は表示手段３２の出力に基づきそのハイライトボタン情報に含まれるナビゲーションコマンドの解析を実施する（例えば、図４（ｂ）のダミートラックの表示状態）(ステップＳＴ５)。
【００１３】
この結果、実行されたハイライトボタン情報に含まれるナビゲーションコマンドが動作遷移を含むものであるかどうかの判断を、動作遷移有無判断手段２４はハイライトボタン選択決定操作手段１４、ハイライトボタン表示有無検知手段２３からの出力信号に基づいて実施する(ステップＳ６)。その結果、動作遷移を含むナビゲーションコマンドであった場合には、ランダム再生モードを解除し(ステップＳＴ８）、通常再生モード操作手段１１に基づく通常再生モード（図４（ｃ）の表示状態）へと移行する(ステップＳＴ１)。ここで、ハイライトボタン操作手段１４によるハイライトボタン選択・決定操作があったとしても、そのハイライトボタン情報に含まれるナビゲーションコマンドが動作遷移を含まない場合（例えば、音声切換等）には、ランダム再生モード（図４（ｄ）の表示状態）を継続する(ステップＳＴ７)。
【００１４】
上述の如く、本実施の形態によれば、コンテンツの内容によっては、例えばメニューへの遷移指定が含まれているハイライトボタンを選択・決定操作により実行した場合にも、その時点でランダム再生モードが解除され、通常再生モードへと移行するため、コンテンツの指示するナビゲーションコマンドを正常に実行することができる。
【図面の簡単な説明】
【００１５】
【図１】この発明の実施の形態１による再生装置を示す構成図である。
【図２】この発明の実施の形態１による再生装置を示すブロック図である。
【図３】この発明の実施の形態１による再生装置の動作を説明するためのフローチャートである。
【図４】この発明の実施の形態１による再生装置の動作を説明するための模式図である。
【符号の説明】
【００１６】
１  操作部、２  再生管理部、３  再生部、１１  通常再生操作手段、１２  ランダム再生操作手段、１３  プログラム再生操作手段、１４  ハイライトボタン操作手段、２１  再生モード設定手段、２２  通常再生モード設定手段、２３  ハイライトボタン表示有無検知手段、２４  動作遷移有無判断手段、３１  再生手段、３２  表示手段。
【図１】
2007157306.tif 000003
【図２】
2007157306.tif 000004
【図３】
2007157306.tif 000005
【図４】
2007157306.tif 000006